(57)【要約】      （修正有）【課題】意図システムは、要求定義から運用・廃棄まで、重要な課題を中心にシステムの開発・運用までを一元的に各種の周囲の状況、事態に応じて課題を解決させる動的なマネ−ジメンを実施する。その方法として各情報に、目指す狙いとその条件・根拠・結果の関係を知識として一元的にライフサイクルシステムとして構築する。意図（目指す狙いとその条件・根拠・結果の関係）を知的に情報構築し、知的に再利用可能な仕組みを構築する。意図を制御する意図システムの言語構成を確立する。クリティカルアイテムの重要な課題が解決する動的なマネ−ジメント技法を確立する。目指す狙いとその条件・根拠・結果の関係を同時に実施する自律分散型の意図システム制御を確立する。【解決手段】意図システムのシステム基盤の構築、意図システム言語構成の確立、意図の連携方法・構築方法の確立、意図システムの意図制御エンジン、等により情報の制御を可能とする。【選択図】図１
2008097208.tif 000002
【特許請求の範囲】
【請求項１】
意図システムは、要求定義から運用・廃棄まで、重要な課題を中心にシステムの開発・運用までを一元的に各種の周囲の状況、事態に応じて課題を解決させる。
意図は、 開発から運用・廃棄まで、目指す狙いとその条件・根拠・結果の関係などを知識として連携し、一元的にライフサイクルシステムとして構築する。
システムの開発・運用等で発生する各種課題（要求意図）に対して、周りの事態に応じて課題（開発意図、運用意図、評価意図、失敗意図など）を解決するため各種意図間の条件・根拠・結果を解析し、最適な解を出す。（うまく解が見つからない場合でも失敗知識として構築する。）
プロジェクトの初期から構築した意図の知識をすべて再利用可能に知恵として構築する。
【請求項２】
意図システムの用語の登録は、囲み線で囲むかまたは赤字の影付きを使用することにより、用語が定義され、特性や判断内容、相互関係などが蓄積される。
意図システム言語は、修飾語（条件など）＋主語、述語、目的語の意図の情報ネットワ−クを蓄積する。そして、意図を結合する手法に意図プロットコールの制御記号を採用する。
修飾語（条件など）＋主語、述語、目的語の意図の情報ネットワ−クの情報とプロトコ−ル情報は意図に関する用語と意図プロトコール情報を組み合わせた記号結合で知識情報として構築、検索、修正、高度知識化が図られる。
【請求項３】
意図システムの基本特性としてのベースレベルの属性、マネ−ジメント属性がシステム開発の利用者が任意に設定する。
あわせて、業務に係わるライフサイクルの高次の属性がシステム開発の利用者が任意に設定する。
「業務に係わるライフサイクルの高次の属性」と「意図システムの基本特性としてベースレベルの属性」を合成する事により、システム開発に関わる全ての情報を包括（包括情報）する。
また、「包括情報」と「シミュレ−ション」と「シミュレ−タ」の情報結合は、シミュレ−ション、シミュレ−タのワ−クシ−トのコウナ−ボタン〇（緑色のボタン）をクイックすることにより、任意に四方タブが付加される。
タブ間の情報結合は、情報ボックスの中の情報結合する情報を囲み線で規定し、囲み線内をコピーし、相手先の共有ボックスに張り付けを実施することにより包括情報と解析情報、解析情報間などが一元的に結合した情報ネットワークとなる。
情報ボックスの細部の情報を新たなシートとして情報入力するときは情報ボックスの〇（緑色のボタン）をクイックすると登録されたシートが取り込まれる。
シミュレ−ションやシミュレ−タのインプット、アウトプットに関する情報も上記統合ワ−クシ−トに組み込まれる。
【請求項４】
シミュレ−ションやシミュレ−タは、意図システム言語の指示に対して意図が連携した一元的に統合した進化型システムである。
シミュレ−ションやシミュレ−タの解析の統合化は、四方のタグの組み合わせによって関係を定義し、意図の記述によって相互関係が定義され、結果が自動的に構築される手法を採用する。
シミュレ−ションやシミュレ−タの解析は、３シグマ変数や複雑系解析による変数を自動的に抽出し、影響因子の知識を自動的に構築する。その結果、求める解の要求値を入力すると、各パラメータ変数の最適解が即断的の求めることができる。
【請求項５】
知識言語で記述された情報において、意図ネットとして、囲み線で囲むかまたは赤字の影付き情報間を赤矢印で結合することができる。ＣＡＤ情報や映像情報も赤矢印で情報の挿入が可能とする。また、丸１〜丸ｎまで番号で流れを結ぶことができる。
【請求項６】
協調環境で業務実施する場合、業務の成熟度を段階で共有しなければならない。たとえば赤色○黄色○緑色○の３段階で区分する。
技術の成熟度については、赤字、黄字、青字によって３段階の区分を実施する。
また、検討してきた情報の中で現在採用されている情報、要求の成立ができず不採用のケース、赤色を赤の枠の中でマーク、第２候補として検討しているケースについて、緑色みどりの枠でマーク、最有力候補については  白色  白の枠でマークを実施する。
【請求項７】
意図システムの情報モデルは、要求定義からミッション終了、廃棄までのライフサイクルにわたる全ての情報が一元的に構築されたモデルと言う。
プロジェクトの基盤となる知識が構築されたモデルをマスタ−モデルと称する。
新しい発想を生み出すモデルを創発モデルと称する。
課題を解決するモデルを動的モデルと称す。
現在までに確定しているモデルを確定モデルと称す。
訓練と運用を一元的に実施するモデルを訓練運用モデルと称す
検証と確認を実施するモデルを検証モデルと称す。
意図システムの情報制御は、マスタ−モデル、創発モデル、動的モデル、確定モデル、訓練運用モデル、検証モデルを一元的に同時に実施する。
【請求項８】
動的マネ−ジメンと技法として、
動的マネージメント（ＰＭ）はユーザ要求定義の管理、資源管理スケジュール管理、外部検証と確認処置などについて情報モデルを活用して実施する。
技術統括（ＣＭ）は、クリティカルアイテム管理・分析、課題解決のための動的モデル、研究モデルの業務指示、業務指示の評価、静的（確定段階）モデルの管理、ライフサイクルシステムモデルの構築、内部の検証と確認などについて情報モデルを活用して実施する。
専門技術統括（ＴＭ）は、・課題解決のための動的モデル、研究モデルの業務遂行、解決提案モデル公募とチーム検討、最適トレードオフ、技術戦略解析、コスト解析、開発計画、基盤技術の構築などについて情報モデルを活用して実施する。
検証と確認（ＩＶ）は、内部の検証と確認、外部の第三者の専門家による検証と確認を全ての情報モデルを活用して実施する。
【請求項９】
創発システムエイジェントは、自律分散エイジェント（意図システムの知識言語制御、意図システムの基本特性制御、業務に係わる意図の制御、意図の連携制御、解析知識の制御）の中で知識を構築し、知識の抽出、知識の向上などを実施する。
自律分散エイジェントは、論理検証、理論検証、方式検証、意図に対する定義検証、設計不備検証、運用不備検証、解析矛盾検証、根拠矛盾検証、知識矛盾検証などを同時に検証し、矛盾する事項などの問題点を赤字で指摘する。
【発明の詳細な説明】
【技術分野】
【０００１】
本発明は、ＩＴを知的な活用した動的なマネ−ジメントと意図システム（開発から運用・廃棄まで、目指す狙いとその条件・根拠・結果の関係を知識として一元的にライフサイクルシステムとして構築）を実現するものである。          
【背景技術】
【０００２】
現在までの情報システムは、計算機を紙と鉛筆、計算ソフトの限られた情報の結合であった。また、計算機を活用したマネ−ジメントにおいても、静的なマネ−ジメントしかできなかった。
【０００３】
【非特許文献１】NASA ISE（Intelligent Synthesis Environment) Program
【非特許文献２】Concurrent Design Facility (CDF):a new concept developed at the European Space Agencyapplying Concurrent Engineering toimprove the space mission design process（ＥＳＡ）
【発明の開示】
【発明が解決しようとする課題】
【０００４】
ＩＴの知的な活用する方法として、開発時から検討した内容をすべて知識情報として入力し、すべて再利用可能な知識に高度化する。業務は意図の制御によって実施する。意図とは、目的、成果目標、制約条件、創発の抽出、多角的分析・解析、トレードオフ（長所・短所）、選定根拠、新しい発見は不採用でも長所を生かす研究を推進などかならず記述する。
【０００５】
クリティカルアイテムから優先度の高い課題に対して、過去の知識が構築された一元的なライフサイクルモデルをベースに、動的なライフサイクルシステムモデルで課題を解決し、専門家が評価し、次の課題を解決することによって、常に総合システム検討を実施する動的なマネ−ジメントの開発技法を確立する。
【課題を解決するための手段】
【０００６】
意図システム言語は、基本意図（主題）、意図文章（意図言語構造）、意図の連携（設計、解析、評価などの統合）意図の階層（レイヤ）で情報制御される。
意図システム言語は、修飾語（条件など）＋主語、述語、目的語の意図の情報ネットワ−クを蓄積する。そして、意図を結合する意図プロットコールを採用する。
修飾語（条件など）＋主語、述語、目的語の意図の情報ネットワ−クの情報とプロトコ−ル情報は意図の用語と意図プロトコール情報を組み合わせた記号結合で知識情報として構築、検索、修正、高度知識化が図られる。
意図システムの用語の登録は、囲み線で囲むかまたは赤字の影付きを使用することにより、用語が自動的に定義され、内容が蓄積される。
【０００７】
意図システムの基本特性としてベースレベルの属性は下記に定義するがシステム開発の利用者が任意に変更することが可能。
目的意図（目的を明確）、前提条件意図（前提条件を明確）、構成意図（構成を明確）、ワークフロ意図（作業フロー）、根拠の意図（根拠を明確）、創発意図（発想を明確）、失敗意図（過去の経験を生かす。）、重み付け意図（重点を明確）、ビジュアル情報の制御意図（映像で明確）、情報の知識化意図（知識を活用）、シミュレーション意図（一元的な投資効果）、シミュレータ意図（一元的な開発・運用）、解析意図・モデリング結合（意図ネツト）、成熟度意図（成熟段階を周知する。）、不確定要素の度合い（技術成熟度を周知する。）、選択意図（どのような検討を実施し、失敗結果も知識として活用する。）、意図の結合（意図ネツト）
マネ−ジメント属性は、下記を定義するがシステム開発の利用者が任意に変更することが可能。
丸１  動的マネージメント（ＰＭ）意図（変化に対応したプロジェクトマネ−ジメントを実施）
丸２  技術統括（ＣＭ）意図（クリティカルアイテム中心の技術統括マネ−ジメントを実施）
丸３  専門技術統括（ＴＭ）意図（組織に束縛されないで、専門家の英知が結集する開発環境）
丸４  検証と確認（ＩＶ）（外部と内部の検証と確認を実施）
業務に係わるライフサイクルの高次の属性は、下記を定義するがシステム開発の利用者が任意に変更することが可能。
プロジェクト要求意図、目標値意図、条件意図、ミッション要求意図、システム要求条件意図、設計意図、最適化意図、製造意図、システム試験意図、システム検証意図、訓練意図、運用意図、評価要求意図、評価意図、評価基準意図、検証根拠意図
業務に係わるライフサイクルの高次の属性と意図システムの基本特性としてベースレベルの属性を合成する事により、システム開発に関わる全ての情報を包括（包括情報）する。
また、包括情報とシミュレ−ションとシミュレ−タの情報結合は、シミュレ−ション、シミュレ−タのワ−クシ−トのコウナ−ボタン〇（緑色のボタン）をクイックすることにより、任意に四方タブ付が付加される。
タブ間の情報結合は、情報ボックスの中の情報結合する情報を囲み線で規定し、囲み線内をコピーし、相手先の共有ボックスに張り付けを実施することにより包括情報と解析情報、解析情報間などが一元的に結合した情報ネットワークとなる。
情報ボックスの細部の情報を新たなシートとして情報入力するときは情報ボックスの〇（緑色のボタン）をクイックすると登録されたシートが取り込まれる。
シミュレ−ションやシミュレ−タのインプット、アウトプットに関する情報も上記統合ワ−クシ−トに組み込まれる。
【０００８】
シミュレ−ションやシミュレ−タは、意図システム言語の指示に対して意図が連携した一元的に統合した進化型システムである。
シミュレ−ションやシミュレ−タの解析の統合化は、四方のタグの組み合わせによって関係を定義し、意図の記述によって相互関係が定義され、結果が自動的に構築される手法を採用する。
シミュレ−ションやシミュレ−タの解析は、３シグマ変数や複雑系解析による変数を自動的に抽出し、影響因子の知識を自動的に構築する。その結果、求める解の要求値を入力すると、各パラメータ変数の最適解が即断的の求めることができる。
【０００９】
知識言語で記述された情報において、意図ネットとして、囲み線で囲むかまたは赤字の影付き情報間を赤矢印で結合することができる。ＣＡＤ情報や映像情報も赤矢印で情報の挿入が可能とする。また、丸１〜丸ｎまで番号で流れを結ぶことができる。
三次元ＣＡＤ情報には、設計情報、製造情報、運用情報などが入力され、音声で対話しながら情報の制御が可能となる。
【００１０】
プロジェクトマネ−ジメント、技術統括、専門グループ集団などで共同作業を実施する場合、進捗の状況を共有して実施する必要がある。
成熟度によって赤色○黄色○緑色○の３段階に区分する。技術の成熟度については、赤字、黄字、青字によって３段階の区分を実施する。
また、検討してきた情報の中で現在採用されている情報、要求の成立ができず不採用のケース、  赤色  を赤の枠の中でマーク、第２候補として検討しているケースについて、  緑色  みどりの枠でマーク、最有力候補については  白色  白の枠でマークを実施する。
【００１１】
意図システムの情報モデルは、要求定義からミッション終了、廃棄までのライフサイクルにわたる全ての情報が一元的に構築されたモデルと言う。
プロジェクトの基盤となる知識が構築されたモデルをマスタ−モデルと称す。
新しい発想を生み出すモデルを創発モデルと称し、運用要求、機能、構造分解し、原理・原則から創発支援、長所・短所のトレードオフ評価、限界特性を体系的に実施する。
クリティカルアイテムの中の重要な課題から順次課題を解決するモデルを動的モデルと称し、専門技術集団グループが複数のチームを編成し、協調環境で課題を解決する。
現在までに確定しているモデルを確定モデルと称す。
訓練と運用を一元的に実施するモデルを訓練運用モデルと称し、訓練意図の知識が運用の意図に知識が進化する。
検証と確認を実施するモデルを検証モデルと称す。
意図システムの情報制御は、マスタ−モデルからスタートし、以後、創発モデル、動的モデル、確定モデル、訓練運用モデル、検証モデルを一元的に同時に実施する。
【００１２】
意図システムの動的マネ−ジメンの技法は、下記の４つのグループで実施される。
動的マネージメント（ＰＭ）は、外部機関との調整を中心にユーザ要求定義の管理、資源管理スケジュール管理、外部検証と確認処置などについて情報モデルを活用して実施する。
技術統括（ＣＭ）は、専門技術集団をやる気を持って実施させるように、クリティカルアイテム管理・分析、課題解決のための動的モデル、研究モデルの業務指示、業務指示の評価、静的（確定段階）モデルの管理、ライフサイクルシステムモデルの構築、内部の検証と確認などについて情報モデルを活用して実施する。
専門技術統括（ＴＭ）は、・課題解決のための動的モデル、研究モデルの業務遂行、解決提案モデル公募とチーム検討、最適トレードオフ、技術戦略解析、コスト解析、開発計画、基盤技術の構築などについて情報モデルを活用して実施する。
検証と確認（ＩＶ）は、・内部の検証と確認、外部の第三者の専門家による検証と確認を全ての情報モデルを活用して実施する。
【００１３】
創発システムエイジェントは、意図システムの基本特性（知識言語制御、意図システムの基本特性制御、業務に係わる意図の制御、意図の連携制御、解析知識の制御）をベースに人間と計算機の協調、ライフサイクルマネージメント、情報のモデル化、知識化、計算の最適化（シミュレ−ション、シミュレ−タ）、バ−チャルエンジニアリング、情報の関連意図連携、創発支援、業務アプリ、システムと統合したＣＡＤ/ＣＡＥ、システムコントロール（確定・動的・創発モデル）などを一元的に実施する。
自律分散エイジェントは、論理検証、理論検証、方式検証、意図に対する定義検証、設計不備検証、運用不備検証、解析矛盾検証、根拠矛盾検証、知識矛盾検証などを同時に検証し、矛盾する事項などの問題点を赤字で指摘する。
【発明の効果】
【００１４】
意図システムによる動的なマネ−ジメントによって、開発期間が大幅に短縮され、過去の知識がすべて継承することができる。この結果開発費が過去の逐次工学手法の１／３に削減される。
【発明を実施するための最良の形態】
【００１５】
意図システムの実施利用形態は、原子力、宇宙開発などの複雑で大規模なシステム開発で且つ高い安全性が求められている事業では不可欠な情報システム基盤である。
また、膨大な情報を知的に活用し、投資効果、効率性、スピードが求められている国政システム、広域地方自治体システム、広域市政システム、公的な出先機関、独立行政法人などにおいても不可欠な情報システム基盤である。
【実施例】
【００１６】
・ＩＴと宇宙利用を知的な活用した世界的規模に於ける宇宙利用
・ＩＴと宇宙利用を知的な活用したグロ−バル情報社会国家の改革
【産業上の利用可能性】
【００１７】
宇宙開発で研究開発の経験に基づく情報システムであり、宇宙開発や原子力開発では、十分利用できる。
【図面の簡単な説明】
【００１８】
【図１】意図システムの構成
【図２】意図システムの構成
【図３】意図システム言語の階層（レイヤ）で情報制御
【図４】知識言語の記号化(Ｎ次元ベクトルかによる情報構築
【図５】意図システムプロトコールの一例
【図６】意図システムの知識言語の構造
【図７】意図システムより知識言語の基本的なつながり
【図８】知識の成長ライフサイクル
【図９】意図システムの基本特性（ベースレベルの属性）１／２
【図１０】意図システムの基本特性（ベースレベルの属性）２／２
【図１１】業務に係わるライフサイクル特性（高次の属性）１／２
【図１２】業務に係わるライフサイクル特性（高次の属性）２／２
【図１３】意図システムの基本特性（ベースレベルの属性）と業務に係わる意図システム（高次の属性）の定義
【図１４】ライフサイクルの業務（設計、訓練、運用）とシミュレーション、シミュレータの解析意図の定義
【図１５】意図システムの用語の登録は、囲み線で囲むかまたは赤字の影付きを使用することにより、用語が自動的に定義
【図１６】進化型戦略シミュレ−ション
【図１７】システムと解析の意図の知識統合
【図１８】進化型シミュレ−タ（創発モデル）
【図１９】進化型シミュレータのシステム構成
【図２０】求める解の要求値を入力すると、各パラメータ変数の最適解が即断的の求める手法
【図２１】一元的なライフサイクルモデル
【図２２】意図システムのプロジェクト実施体制
【図２３】動的マネ−ジメントを実施する業務の流れ
【図２４】意図システムによるシステム構成による知識情報の構築の仕組み（意図のネット）
【図２５】意図システムによる知識情報の構築の仕組み（意図のネット）
【図２６】意図システムの情報構築の仕組み
【図２７】意図システムの意図の制御エンジン
【符号の説明】
【００１９】
ｓ１；動的マネ−ジメント開始
ｓ２；意図システム基本特性構築
ｓ３；システムと知識構築の基本特性構築
ｓ４；基本特性のモデル化
ｓ５；ベースデザインモデルへの移植
ｓ６；協調業務をしながら意図システム言語を登録
ｓ７；意図情報と形状情報、映像情報の結合
ｓ８；業務で構築した意図を知識として活用するように意図を再構築
ｓ９；意図システム知識として知識を構築
ｍ１；構築されたプロジェクト対応のベースデザインモデルを基本にスタート
ｍ２；技術統括は技術集団が提出した優先クリティカルアイテム表から課題設定
ｍ３；技術統括は現在まで確定しているモデルを確定しておく
ｍ４； 技術集団は協調して、課題の創発研究を実施
ｍ５；技術集団は、協調し、確定モデルから課題を解決した動的モデル策定、
技術統括は課題の評価を実施、課題に問題あれば差し戻しする。
ｍ６；訓練運用グルーブは、動的モデルで訓練運用を実施、問題は技術統括に差し戻
ｍ７；第三者の検証と確認を実施、指摘はプロジェクトマネージャ提出
ｍ８；最終の総合検証を外部の専門家が実施、
ｍ９；問題はクリティカルアイテム指定再検討
ｍ10；プロジェクトの終了
【図１】
2008097208.tif 000003
【図２】
2008097208.tif 000004
【図３】
2008097208.tif 000005
【図４】
2008097208.tif 000006
【図５】
2008097208.tif 000007
【図８】
2008097208.tif 000008
【図２１】
2008097208.tif 000009
【図２６】
2008097208.tif 000010
【図２７】
2008097208.tif 000011
【図６】
2008097208.tif 000012
【図７】
2008097208.tif 000013
【図９】
2008097208.tif 000014
【図１０】
2008097208.tif 000015
【図１１】
2008097208.tif 000016
【図１２】
2008097208.tif 000017
【図１３】
2008097208.tif 000018
【図１４】
2008097208.tif 000019
【図１５】
2008097208.tif 000020
【図１６】
2008097208.tif 000021
【図１７】
2008097208.tif 000022
【図１８】
2008097208.tif 000023
【図１９】
2008097208.tif 000024
【図２０】
2008097208.tif 000025
【図２２】
2008097208.tif 000026
【図２３】
2008097208.tif 000027
【図２４】
2008097208.tif 000028
【図２５】
2008097208.tif 000029